(57)【要約】【課題】  鉄砲を打つ場合に本番のような力一杯の突き押しをしても各関節や筋肉に障害の発生がなく、鉄砲を打った時にどのくらいパワーが出ているのか知ることができ、鉄砲による鍛錬が効率よく安全に行える相撲の鉄砲鍛錬具を提供する。【解決手段】  壁板２の前面側に起立状態で配置した丸柱３の上下で両側の位置を、壁板２との間に設けた自動復帰式の流体シリンダ４で移動可能に支持し、同一側に位置する流体シリンダ４を、共通の流体回路５で流体の給排が行われるようにし、丸柱３に対して鉄砲を打った時に生じる反力を流体シリンダ４で吸収し、鉄砲を思い切り打っても、身体の諸関節や筋肉への悪影響を軽減することができ、鉄砲による鍛錬が効率よく安全に行える。【選択図】  図１
2005211612.tif 000002
【特許請求の範囲】
【請求項１】
壁板の前面側に起立状態で配置した丸柱の上下で両側の位置を、壁板との間に設けた自動復帰式の流体シリンダで移動可能に支持し、同一側に位置する流体シリンダは、共通の流体回路で流体の給排が行われるようになっている流体圧力を利用したスポーツ鍛錬具。
【請求項２】
壁板の前面側で両側の位置に起立状態で配置した柱の上下位置を、壁板との間に設けた自動復帰式の流体シリンダで移動可能に支持し、両側の柱間に衝突受け部材を張設し、柱ごとの前記流体シリンダは、共通の流体回路で流体の給排が行われるようになっている流体圧力を利用したスポーツ鍛錬具。
【請求項３】
流体回路が、上下流体シリンダの入口を入口回路で、出口は出口回路で互いに接続し、入口回路に逆止弁と出口回路に流量調整弁を設けて形成されている請求項１又は２に記載の流体圧力を利用したスポーツ鍛錬具。
【発明の詳細な説明】
【発明の詳細な説明】
【技術分野】
【０００１】  この発明は、流体圧力を利用したスポーツ鍛錬具、更に詳しくは、相撲の鉄砲鍛錬具とスポーツのぶつかり稽古鍛錬具に関する。
【背景技術】
【０００２】  押したりぶつかったりして体力を増加する相撲の基本的な練習の中で、「鉄砲」は筋肉の力を増やすために極めて重要である。
また、土俵上において、相手と胸を強く押し合う「ぶつかり稽古」も体力を増加する上で重要である。
ところで、前者の鉄砲は、壁と同じく押しても動かない太い丸柱めがけて、片手或いは両手で強く当たり、腕の筋肉の力を増やすものである。【０００３】  また、後者のぶつかり稽古は、相手と強く当たることで体力を増すものてあり、相撲に限らず全力で相手にぶつかるラクビーやアメリカンフットボールにおいてもこのぶつかり稽古は有効である。
【発明が解決しようとする課題】
【０００４】  しかし、前者の鉄砲は、どのくらいパワーが出ているのか、ただ筋肉や各関節の反応で本人が感触として判る程度であり、他の力士や親方には判らない。
しかも、鉄砲をした時に手を当てた丸柱は不動であるから、押した時に生じる手への反力は極めて強く、該反力は、手首の関節から腕関節を経て肩関節に至り、更に僅かではあるが、背骨、尾てい骨、膝関節、足関節や筋肉におよび、これらの反力ショックがあっても、日常繰り返し行われることにより、力士の力の増加をもたらすが、おもいきって最大の力で鉄砲をすれば、各関節や筋肉の障害を起こす大きな要因となる。
【０００５】  従って、力士でも鉄砲を打つ場合、打った手の肘を曲げて意識的に反力を抜くようにしており、本番のような力一杯の突き押しの練習ができないという問題がある。
また、土俵上で行う後者のぶつかり稽古は、激しい当たりがあっても、衝突部分は双方とも相手の肉体に少し食い込み、これによって反力ショックは軽減されるが、相手との力量に大差がある場合、相手に撥ね飛ばされ、打撲、骨折などの傷害に至る場合も少なからずあると共に、相手なしでは稽古ができないという問題がある。
【０００６】  そこで、この発明の第１の課題は、鉄砲を打つ場合に本番のような力一杯の突き押しをしても各関節や筋肉に障害の発生がなく、鉄砲を打った時にどのくらいパワーが出ているのか知ることができ、鉄砲による鍛錬が効率よく安全に行える相撲の鉄砲鍛錬具を提供することにある。
【０００７】  この発明の第２の課題は、相手なしでぶつかり稽古ができると共に、打撲、骨折などの傷害の発生を防ぐことができ、かつ、衝突時にどのくらいパワーが出ているのか知ることができる各種スポーツのぶつかり稽古鍛錬具を提供することにある。
【課題を解決するための手段】
【０００８】  上記のような課題を解決するため、請求項１の発明は、流体圧力を利用した鉄砲鍛錬具であり、壁板の前面側に起立状態で配置した丸柱の上下で両側の位置を、壁板との間に設けた自動復帰式の流体シリンダで移動可能に支持し、同一側に位置する流体シリンダは、共通の流体回路で流体の給排が行われるようになっている流体圧力を利用した構成を採用したものである。
【０００９】  請求項２の発明は、流体圧力を利用したぶつかり稽古鍛錬具であり、壁板の前面側で両側の位置に起立状態で配置した柱の上下位置を、壁板との間に設けた自動復帰式の流体シリンダで移動可能に支持し、両側の柱間に衝突受け部材を張設し、柱ごとの前記流体シリンダは、共通の流体回路で流体の給排が行われるようになっている構成を採用したものである。
【００１０】  請求項３の発明は、請求項１又は２の発明において、流体回路が、上下流体シリンダの入口を入口回路で、出口は出口回路で互いに接続し、入口回路に逆止弁と出口回路に流量調整弁を設けて形成されている構成を採用したものである。
【発明を実施するための最良の形態】
【００１１】  以下、この発明の実施の形態を図示例と共に説明する。
図１と図２（Ａ）に示す第１の実施の形態は、流体圧力を利用した相撲の鉄砲鍛錬具であり、台座１上に起立する壁板２の前面側に丸柱３を起立状態で配置し、この丸柱３の上下で両側の位置を、壁板２との間に設けた自動復帰式の流体シリンダ４で移動可能に支持し、同一側に位置する流体シリンダ４は、共通の流体回路５、５で流体の給排が行われるようになっている。従って、流体回路５、５は、左右の流体シリンダ４群ごとに合計二組が用いられている。【００１２】  上記丸柱３は、鉄砲に適した直径と上下長さを有する木材等を用い、その下端に取り付けたボール回転器６が台座１上に載り、このボール回転器６が丸柱３の重量を支持すると共に、該丸柱３の全方向への移動を可能にしている。【００１３】  このボール回転器６は、図２（Ｃ）に示すように、丸柱３の下端面に固定するホルダー７で多数の小径ボール８を介して大径ボール９を回転自在に支持した構造になっており、大径ボール９が台座１上に載っている。【００１４】  前記丸柱３の上下で両側の位置を保持する自動復帰式の流体シリンダ４は、図２（Ｂ）に示すように、シリンダ本体１０内にピストン１１を常時押し戻すスプリング１２を縮設し、シリンダ本体１０のロツド１３と反対側の端部に流体の入口１４と出口１５が設けられた構造となり、壁板２に固定したヒンジ１６と丸柱３に固定したヒンジ１６ａを結合することにより、平面ハ字状の配置となって丸柱３を起立状態に保持し、丸柱３を押し込まない時は、各流体シリンダ４は伸長状態となり、丸柱３は壁板２の前面側で最も前に位置することになり、丸柱３を押し込むと、押し込み力の加わった流体シリンダ４は収縮すると共に平面的に回動し、丸柱３の平面的な移動を可能にする。【００１５】  前記左右の流体シリンダ４群ごとに設ける流体回路５、５は、オイル等を充填した流体タンク１７と、圧力計１８と、これらと上下流体シリンダ４を接続する回路配管と、この回路配管の途中に設けた逆止弁２０と流量調整弁２１で構成され、上下流体シリンダ４の入口１４は入口回路配管１９ａで、出口１５は出口回路配管１９ｂで互いに接続し、入口回路配管１９ａは流体タンク１７に接続されてその途中に逆止弁２０が設けられ、また、出口回路配管１９ｂは圧力計１８と流体タンク１７に接続され、流体タンク１７との接続部分に流量調整弁２１が設けられている。【００１６】  第１の実施の形態の鉄砲鍛錬具は上記のような構成であり、壁板２を建物の壁に当接させる等の手段で移動しないように固定配置した状態で、各流体シリンダ４は伸長状となり、丸柱３は壁板２に対して最前進位置にあり、鉄砲をする者は丸柱３の前に立ち、丸柱３に対して片手或いは両手で強く当たり、鉄砲の練習をする。【００１７】  鉄砲を打って丸柱３に圧力を加えると、丸柱３を支持する各流体シリンダ４は圧縮力を受け、該流体シリンダ４はスプリング１２を圧縮して収縮しようとし、この収縮力で流体シリンダ４内の流体が加圧され、加圧された流体は逆止弁２０で入口１４側に出られないので出口１５から流体タンク１７に向けて流出し、流量調整弁２１により流出量が調整されることにより、流体シリンダ４の収縮速度が制限され、丸柱３は鉄砲によって受けた圧力に比例して後退移動し、これによって鉄砲を打ったときの反力を吸収し、鉄砲を思い切り打っても、身体の諸関節や筋肉への悪影響を軽減することができる。【００１８】  上記流体シリンダ４の収縮時に加圧された流体の一部は圧力計１８に流れ、鉄砲を打ったときの圧力をアナログやデジタルで所定の時間だけ、最高圧力を表示する。
例えば、右手で鉄砲を打った場合、左側の上下流体シリンダ４が強い圧縮力を受けるが、流体シリンダ４は、丸柱３を平面ハ字状の配置で支持しているため、右側の上下流体シリンダ４も圧縮を受け、従って、左右二個の圧力計１８によって力の入力量を知ることができる。【００１９】  また、丸柱３に対する押し込み力を解けば、各流体シリンダ４は内蔵されたスプリング１２で伸長状態に戻り、丸柱３は壁板２に対して最前進位置に復帰し、このとき、各流体シリンダ４は流体タンク１７内の流体を入口１４から内部に吸引して補給する。【００２０】  次に、図３に示す第２の実施の形態は、流体圧力を利用したスポーツのぶつかり稽古鍛錬具である。なお、先の第１の実施の形態である相撲の鉄砲鍛錬具と同一部分には同一符号を付すことによって説明する。【００２１】  このぶつかり稽古鍛錬具は、台座１上に起立する壁板２の前面側で距離をおいた両側の位置に柱３ａを起立状態で配置し、この柱３ａの上下の位置を、壁板２との間に設けた自動復帰式の流体シリンダ４で移動可能に支持し、両側の柱３ａ間に衝突受け部材２２を張設し、柱３ａごとの前記流体シリンダ４は、共通の流体回路５で流体の給排が行われるようになっている。従って、流体回路５は、左右の流体シリンダ４群ごとに合計二組が用いられている。【００２２】  両側の柱３ａはぶつかり稽古に必要な肩幅よりも少し広い間隔で起立し、台座１上に載るボール回転器６で移動可能に支持され、各柱３ａを支持する両側の流体シリンダ４は、平面ハ字状の配置となり、相撲の鉄砲鍛錬具と同じくヒンジ１６、１６ａを用いた構造で壁板２と柱３ａを結合し、また、流体回路５も相撲の鉄砲鍛錬具と同じ構造になっている。【００２３】  両側の柱３ａ間に張設した衝突受け部材２２は、柱３ａ間に可撓性のあるピアノ線のネット２３を張り、このネット２３と両側の柱３ａを厚い布団やスポンジのようなクッション材２４で覆った構造になっている。【００２４】  ぶつかり稽古鍛錬具は上記のような構成であり、ぶつかり稽古をするには、壁板２を建物の壁に当接させる等の手段で移動しないように固定配置した状態で、衝突受け部材２２に対してぶつかるようにすればよく、衝突受け部材２２は衝突により後方に撓み、頭部や首、肩を保護し、これと同時に両側の流体シリンダ４は、互いに中央寄りに角度を変えながら押し込まれるため、伸長状態から収縮することにより、衝突時の反力を和らげることになり、思い切ったぶつかり稽古をすることができる。【００２５】  また、流体シリンダ４の収縮で左右の圧力計１８にぶつかり時の圧力が左右別々に表示され、左右の当たりの強さを知ることができる。
なお、ぶつかり稽古は、相撲だけでなく、ラクビーやアメリカンフットボールにおいても使用できる。
【発明の効果】
【００２６】  以上のように、請求項１の発明によると、壁板の前面側に起立状態で配置した丸柱の上下で両側の位置を、壁板との間に設けた自動復帰式の流体シリンダで移動可能に支持し、同一側に位置する流体シリンダを、共通の流体回路で流体の給排が行われるようにしたので、鉄砲を打つ場合に本番のような力一杯の突き押しをしても、流体シリンダにより衝突時の反力を和らげることができ、各関節や筋肉に障害の発生がなく、しかも圧力計で鉄砲を打った時にどのくらいパワーが出ているのか知ることができ、鉄砲による鍛錬が効率よく安全に行える。
【００２７】  また、請求項２の発明によると、壁板の前面側で両側の位置に起立状態で配置した柱の上下位置を、壁板との間に設けた自動復帰式の流体シリンダで移動可能に支持し、両側の柱間に衝突受け部材を張設し、柱ごとの前記流体シリンダを、共通の流体回路で流体の給排が行われるようにしたので、相手なしでぶつかり稽古ができると共に、衝突受け部材と流体シリンダにより衝突時の反力を和らげることができ、ぶつかり稽古時に打撲、骨折などの傷害の発生を防ぐことができ、かつ、圧力計で衝突時にどのくらいパワーが加わっているのか知ることができ、各種スポーツのぶつかり稽古が効率よく安全に行える。
【図面の簡単な説明】
【図１】  相撲の鉄砲鍛錬具を示す斜視図
【図２】  （Ａ）は相撲の鉄砲鍛錬具を示す平面図、（Ｂ）は流体シリンダの断面図、（Ｃ）は丸柱の下端に設けたボール回転器の一部縦断正面図
【図３】  ぶつかり稽古鍛錬具を示す斜視図
【符号の説明】
１      台座
２      壁板
３      丸柱
３ａ    柱
４      流体シリンダ
５      流体回路
６      ボール回転器
１２    スプリング
１４    入口
１５    出口
１７    流体タンク
１８    圧力計
１９ａ  入口回路配管
１９ｂ  出口回路配管
２０    逆止弁
２１    調整弁
２２    衝突受け部材
２３    ネット
２４    クッション材
【図１】
2005211612.tif 000003
【図２】
2005211612.tif 000004
【図３】
2005211612.tif 000005